(57)【要約】【課題】  たとえばＰＯＣＴにおいてより迅速かつより正確に測定を行うことが可能な測定装置および測定方法を提供すること。【解決手段】  本発明に係る測定装置は、検体を対象とした測定処理を行う測定手段と、前記測定手段での測定処理に付随し、かつ複数の属性のいずれかに帰属するデータを入力する入力手段と、使用者に視覚的に情報を提供する表示部３と、を備え、表示部３は、各々が前記複数の属性に対応した複数の属性表示部３１１，３１２，３１３を表示する属性表示部用領域３１と、属性表示部用領域３１に表示された複数の属性表示部３１１，３１２，３１３のいずれかに対応する前記属性に帰属する前記データの入力操作を視覚的に教示する入力教示領域３２と、を有する個別表示パターン３０Ａを表示する。【選択図】  図５
2015180862.tif 000002
【特許請求の範囲】
【請求項１】
検体を対象とした測定処理を行う測定手段と、
前記測定手段での測定処理に付随し、かつ複数の属性のいずれかに帰属するデータを入力する入力手段と、
使用者に視覚的に情報を提供する表示手段と、を備え、
前記表示手段は、各々が前記複数の属性に対応した複数の属性表示部を表示する属性表示部用領域と、前記属性表示部用領域に表示された前記複数の属性表示部のいずれかに対応する前記属性に帰属する前記データの入力操作を視覚的に教示する入力教示領域と、を有する個別表示パターンを表示する、測定装置。
【請求項２】
前記属性表示部は、対応する前記属性に帰属する前記データの入力状態に応じて、視覚的に異なる複数の状態をとる、請求項１に記載の測定装置。
【請求項３】
ある属性に対応する前記属性表示部が前記属性表示部用領域に表示された状態でこの属性に帰属するデータの入力が完了すると、他の属性に対応する前記属性表示部が前記属性表示部用領域に表示され、かつ該他の属性に帰属するデータの入力操作が前記入力教示領域に表示される、請求項１または２に記載の測定装置。
【請求項４】
ある測定処理に付随する前記複数の属性に帰属する前記データの少なくともいずれかを、次の測定処理に付随する前記データとして流用する、請求項１ないし３のいずれかに記載の測定装置。
【請求項５】
ある属性に対応する前記属性表示部が前記属性表示部用領域に表示され、かつ該属性に帰属する前記データの入力操作が前記入力教示領域に表示された状態から、他の属性に対応する前記属性表示部が前記属性表示部用領域に表示され、かつ該他の属性に帰属する前記データの入力操作が前記入力教示領域に表示された状態に移行させる使用者の操作を受け入れる操作手段を備える、請求項１ないし４のいずれかに記載の測定装置。
【請求項６】
前記測定手段は、前記測定処理に供される試験片を受け入れる試験片挿入部を有しており、
前記複数の属性のうち前記測定処理の実行を充足する複数の特定属性に帰属する前記データが入力された状態において、前記試験片挿入部に前記試験片が挿入されると、前記測定処理を開始する、請求項１ないし５のいずれかに記載の測定装置。
【請求項７】
前記測定手段は、前記測定処理に供される試験片を受け入れる試験片挿入部を有しており、
前記複数の属性のうち前記測定処理の実行を充足する複数の特定属性に帰属する前記データのいずれか未入力の状態において、前記試験片挿入部に前記試験片が挿入されると、前記測定処理を開始する、請求項１ないし５のいずれかに記載の測定装置。
【請求項８】
前記表示手段は、前記測定処理が開始された以降に、前記測定処理に関わる表示に、前記複数の属性に帰属するデータのうち未入力のものを入力するための表示を、時間的または空間的に割り込ませて表示する、割り込み表示モードを有する、請求項１ないし７のいずれかに記載の測定装置。
【請求項９】
前記複数の属性のうち前記属性表示部用領域に前記属性表示部が表示されるものの組み合わせが、予め設定可能である、請求項１ないし８のいずれかに記載の測定装置。
【請求項１０】
検体を対象とした測定処理を行う測定工程と、
前記測定工程での測定処理に付随し、かつ複数の属性のいずれかに帰属するデータを入力する入力工程と、
使用者に視覚的に情報を提供する表示工程と、を備え、
前記表示工程においては、各々が前記複数の属性に対応した複数の属性表示部を表示する属性表示部用領域と、前記属性表示部用領域に表示された前記複数の属性表示部のいずれかに対応する前記属性に帰属する前記データの入力操作を視覚的に教示する入力教示領域と、を有する個別表示パターンを表示する、測定方法。
【発明の詳細な説明】
【技術分野】
【０００１】
本発明は、生体由来の検体を対象とした測定を行う測定装置および測定方法に関する。
【背景技術】
【０００２】
生体由来の検体を対象とした測定は、人間をはじめとする生体の健康を維持する手段として広く実施されている。また、Point of Care Testing（以下、ＰＯＣＴ）は、患者の傍らで医療従事者が行う検査を総称するものであり、主に、診療所、病院などにおいてなされる。このＰＯＣＴに用いられる測定装置は、測定者として複数の医療従事者が想定され、また、複数の患者に由来する検体が測定対象となる。個人が携帯する専用の測定器の場合、測定者および患者が固定される。これに対し、ＰＯＣＴにおいては、測定者および患者がそれぞれ複数存在する。また、使用する試験片の種類も相対的に増加する。
【０００３】
特許文献１には、ＰＯＣＴに用いられる測定装置の一例が開示されている。同文献に開示された測定装置は、測定処理に付随した複数種類のデータとして、使用者（測定者）ＩＤ、患者ＩＤ、チップ（試験片）ＩＤなどが入力される。これらのデータの入力においては、表示部に各々のデータの入力を促すメッセージが表示される。
【０００４】
しかしながら、使用者（測定者）ＩＤ、患者ＩＤ、チップＩＤなどを入力するための実際の処理は、個々に異なる作業であることが一般的である。このため、前記データの入力を促されても、習熟していない測定者や、多忙な状態にある測定者は、前記データの入力を適切に行えないことが懸念される。また、複数種類のデータを扱うことが前提であるため、個々のデータの入力作業などに注力しつつも、扱うべき複数種類のデータを俯瞰的に意識しておくことが迅速かつ正確な測定を達成するのに好ましい。
【先行技術文献】
【特許文献】
【０００５】
【特許文献１】特許第５２２７８７１号公報
【発明の概要】
【発明が解決しようとする課題】
【０００６】
本発明は、上記した事情のもとで考え出されたものであって、迅速かつより正確に測定を行うことが可能な測定装置および測定方法を提供することをその課題とする。
【課題を解決するための手段】
【０００７】
本発明の第一の側面によって提供される測定装置は、検体を対象とした測定処理を行う測定手段と、前記測定手段での測定処理に付随し、かつ複数の属性のいずれかに帰属するデータを入力する入力手段と、使用者に視覚的に情報を提供する表示手段と、を備え、前記表示手段は、各々が前記複数の属性に対応した複数の属性表示部を表示する属性表示部用領域と、前記属性表示部用領域に表示された前記複数の属性表示部のいずれかに対応する前記属性に帰属する前記データの入力操作を視覚的に教示する入力教示領域と、を有する個別表示パターンを表示する。
【０００８】
本発明において、「視覚的に教示する」とは、伝えるべき事項を表す文字や文章、イラストおよび写真などの画像、あるいは動画などの視認可能な情報形態を用い、これらを使用者が視認することによって理解することをいう。本発明においては、テキスト以外の情報形態を特に好適に使用できる。
【０００９】
本発明の好ましい実施の形態においては、前記属性表示部は、対応する前記属性に帰属する前記データの入力状態に応じて、視覚的に異なる複数の状態をとる。
【００１０】
本発明の好ましい実施の形態においては、ある属性に対応する前記属性表示部が前記属性表示部用領域に表示された状態でこの属性に帰属するデータの入力が完了すると、他の属性に対応する前記属性表示部が前記属性表示部用領域に表示され、かつ該他の属性に帰属するデータの入力操作が前記入力教示領域に表示される。
【００１１】
本発明の好ましい実施の形態においては、前記表示手段は、前記複数の属性に帰属する入力済みの前記データを一括して表示する一括表示領域を有する一括表示パターンを表示する。
【００１２】
本発明の好ましい実施の形態においては、ある測定処理に付随する前記複数の属性に帰属する前記データの少なくともいずれかを、次の測定処理に付随する前記データとして流用する。
【００１３】
本発明の好ましい実施の形態においては、ある測定処理に付随する前記複数の属性に帰属する前記データを、次の測定処理に先立って全てまたは一部を初期化する。
【００１４】
本発明の好ましい実施の形態においては、前記複数の属性に帰属する前記データの入力順の少なくとも一部が、あらかじめ定められている。
【００１５】
本発明の好ましい実施の形態においては、前記複数の属性に帰属する前記データが、任意の順序で入力される。
【００１６】
本発明の好ましい実施の形態においては、前記個別表示パターンには、入力された前記データが表示される入力データ表示領域がさらに含まれる。
【００１７】
本発明の好ましい実施の形態においては、ある属性に対応する前記属性表示部が前記属性表示部用領域に表示された状態でこの属性に帰属するデータの入力が完了すると、前記入力データ表示領域に入力された該属性に帰属する前記データが表示されるとともに、他の属性に対応する前記属性表示部が前記属性表示部用領域に表示され、かつ該他の属性に帰属するデータの入力操作が前記入力教示領域に表示される。
【００１８】
本発明の好ましい実施の形態においては、ある属性に対応する前記属性表示部が前記属性表示部用領域に表示され、かつ該属性に帰属する前記データの入力操作が前記入力教示領域に表示された状態から、他の属性に対応する前記属性表示部が前記属性表示部用領域に表示され、かつ該他の属性に帰属する前記データの入力操作が前記入力教示領域に表示された状態に移行させる使用者の操作を受け入れる操作手段を備える。
【００１９】
本発明の好ましい実施の形態においては、前記複数の属性のうち前記測定処理の実行を充足する複数の特定属性に帰属する前記データの入力が完了すると、前記表示手段は、前記一括表示パターンを表示し、かつ入力された前記複数の特定属性に帰属する前記データが前記一括表示領域に表示される。
【００２０】
本発明の好ましい実施の形態においては、前記一括表示パターンには、前記複数の特定属性に対応する前記属性表示部を表示する属性表示部用領域がさらに含まれる。
【００２１】
本発明の好ましい実施の形態においては、前記複数の特定属性に帰属する前記データの入力が完了すると、前記表示手段には、前記一括表示パターンの表示に移行するかを確認する確認表示がなされる。
【００２２】
本発明の好ましい実施の形態においては、前記測定手段は、前記測定処理に供される試験片を受け入れる試験片挿入部を有しており、前記複数の特定属性に帰属する前記データが入力された状態において、前記試験片挿入部に前記試験片が挿入されると、前記測定処理を開始する。
【００２３】
本発明の好ましい実施の形態においては、前記測定手段は、前記測定処理に供される試験片を受け入れる試験片挿入部を有しており、前記複数の特定属性に帰属する前記データのいずれか未入力の状態において、前記試験片挿入部に前記試験片が挿入されると、前記測定処理を開始する。
【００２４】
本発明の好ましい実施の形態においては、前記複数の特定属性に帰属する前記データが入力された状態において、前記試験片挿入部に前記試験片が挿入されると、前記表示手段には、前記測定処理を開始するかを確認する確認表示がなされる。
【００２５】
本発明の好ましい実施の形態においては、前記複数の特定属性に帰属する前記データのいずれか未入力の状態において、前記試験片挿入部に前記試験片が挿入されると、前記表示手段には、前記測定処理を開始するかを確認する確認表示がなされる。
【００２６】
本発明の好ましい実施の形態においては、前記表示手段は、前記測定処理が開始された以降に、前記測定処理に関わる表示に、前記複数の属性に帰属するデータのうち未入力のものを入力するための表示を、時間的または空間的に割り込ませて表示する、割り込み表示モードを有する。
【００２７】
本発明の好ましい実施の形態においては、前記特定属性に帰属するデータのいずれかが未入力である場合に、前記表示手段に警告表示がなされる、前記測定処理の開始を阻止する、前記測定処理の測定結果の表示を阻止する、および前記測定処理の測定結果に警告フラグを付する、から選択された少なくとも一の処理を行う。
【００２８】
本発明の好ましい実施の形態においては、前記一括表示パターンにおいては、前記複数の特定属性のうちデータが未入力のものに対応する前記属性表示部と、前記測定手段による前記測定処理に対応する測定属性表示部と、が前記属性表示部用領域に表示され、前記測定属性表示部は、前記測定処理の状態または測定結果に応じて視覚的に異なる複数の状態をとる。
【００２９】
本発明の好ましい実施の形態においては、前記複数の属性は、医療従事者を識別する測定者ＩＤ、患者を識別する患者ＩＤ、前記試験片を識別する試験片ＩＤ、前記測定処理のための精度管理に用いられる精度管理物質を識別する精度管理物質ＩＤ、個々の測定処理を識別する測定処理ＩＤ、および測定処理の結果に関するものから選択された少なくとも一の属性を含む。
【００３０】
本発明の好ましい実施の形態においては、前記測定処理ＩＤは、前記患者ＩＤをその一部に含んでおり、前記測定処理ＩＤに含まれる前記患者ＩＤと、入力された前記患者ＩＤとが異なる場合に、前記表示部に警告表示がなされる。
【００３１】
本発明の好ましい実施の形態においては、前記複数の属性のうち前記属性表示部用領域に前記属性表示部が表示されるものの組み合わせが、予め設定可能である。
【００３２】
本発明の第二の側面によって提供される測定方法は、検体を対象とした測定処理を行う測定工程と、前記測定工程での測定処理に付随し、かつ複数の属性のいずれかに帰属するデータを入力する入力工程と、使用者に視覚的に情報を提供する表示工程と、を備え、前記表示工程においては、各々が前記複数の属性に対応した複数の属性表示部を表示する属性表示部用領域と、前記属性表示部用領域に表示された前記複数の属性表示部のいずれかに対応する前記属性に帰属する前記データの入力操作を視覚的に教示する入力教示領域と、を有する個別表示パターンを表示する。
【００３３】
本発明の好ましい実施の形態においては、前記表示工程においては、前記属性表示部は、対応する前記属性に帰属する前記データの入力状態に応じて、視覚的に異なる複数の状態をとる。
【００３４】
本発明の好ましい実施の形態においては、前記表示工程においては、ある属性に対応する前記属性表示部が前記属性表示部用領域に表示された状態でこの属性に帰属するデータの入力が完了すると、他の属性に対応する前記属性表示部が前記属性表示部用領域に表示され、かつ該他の属性に帰属するデータの入力操作が前記入力教示領域に表示される。
【００３５】
本発明の好ましい実施の形態においては、前記表示工程においては、前記複数の属性に帰属する入力済みの前記データを一括して表示する一括表示領域を有する一括表示パターンを表示する。
【００３６】
本発明の好ましい実施の形態においては、前記入力工程においては、ある測定処理に付随する前記複数の属性に帰属する前記データの少なくともいずれかを、次の測定処理に付随する前記データとして流用する。
【００３７】
本発明の好ましい実施の形態においては、前記入力工程においては、ある測定処理に付随する前記複数の属性に帰属する前記データを、次の測定処理に先立って全てまたは一部を初期化する。
【００３８】
本発明の好ましい実施の形態においては、前記入力工程においては、前記複数の属性に帰属する前記データの入力順の少なくとも一部が、あらかじめ定められている。
【００３９】
本発明の好ましい実施の形態においては、前記入力工程においては、前記複数の属性に帰属する前記データが、任意の順序で入力される。
【００４０】
本発明の好ましい実施の形態においては、前記表示工程においては、前記個別表示パターンには、入力された前記データが表示される入力データ表示領域がさらに含まれる。
【００４１】
本発明の好ましい実施の形態においては、前記入力工程においてある属性に対応する前記属性表示部が前記属性表示部用領域に表示された状態でこの属性に帰属するデータの入力が完了すると、前記表示工程において前記入力データ表示領域に入力された該属性に帰属する前記データが表示されるとともに、他の属性に対応する前記属性表示部が前記属性表示部用領域に表示され、かつ該他の属性に帰属するデータの入力操作が前記入力教示領域に表示される。
【００４２】
本発明の好ましい実施の形態においては、前記表示工程においてある属性に対応する前記属性表示部が前記属性表示部用領域に表示され、かつ該属性に帰属する前記データの入力操作が前記入力教示領域に表示された状態から、他の属性に対応する前記属性表示部が前記属性表示部用領域に表示され、かつ該他の属性に帰属する前記データの入力操作が前記入力教示領域に表示された状態に移行させる使用者の操作を受け入れる。
【００４３】
本発明の好ましい実施の形態においては、前記入力工程において前記複数の属性のうち前記測定処理の実行を充足する複数の特定属性に帰属する前記データの入力が完了すると、前記表示工程において、前記一括表示パターンを表示し、かつ入力された前記複数の特定属性に帰属する前記データが前記一括表示領域に表示される。
【００４４】
本発明の好ましい実施の形態においては、前記表示工程においては、前記一括表示パターンには、前記複数の特定属性に対応する前記属性表示部を表示する属性表示部用領域がさらに含まれる。
【００４５】
本発明の好ましい実施の形態においては、前記入力工程において前記複数の特定属性に帰属する前記データの入力が完了すると、前記表示工程において前記一括表示パターンの表示に移行するかを確認する確認表示がなされる。
【００４６】
本発明の好ましい実施の形態においては、前記入力工程において前記複数の特定属性に帰属する前記データが入力された状態において、前記測定処理に供される試験片を受け入れる試験片挿入部を有する測定装置に対して前記試験片が挿入されると、前記測定工程を開始する。
【００４７】
本発明の好ましい実施の形態においては、前記入力工程において前記複数の特定属性に帰属する前記データのいずれかが未入力の状態において、前記測定処理に供される試験片を受け入れる試験片挿入部を有する測定装置に対して前記試験片が挿入されると、前記測定工程を開始する。
【００４８】
本発明の好ましい実施の形態においては、前記複数の特定属性に帰属する前記データが入力された状態において、前記試験片挿入部に前記試験片が挿入されると、前記表示工程においては、前記測定処理を開始するかを確認する確認表示がなされる。
【００４９】
本発明の好ましい実施の形態においては、前記複数の特定属性に帰属する前記データのいずれか未入力の状態において、前記試験片挿入部に前記試験片が挿入されると、前記表示工程においては、前記測定処理を開始するかを確認する確認表示がなされる。
【００５０】
本発明の好ましい実施の形態においては、前記表示工程においては、前記測定処理が開始された以降に、前記測定処理に関わる表示に、前記複数の属性に帰属するデータのうち未入力のものを入力するための表示を、時間的または空間的に割り込ませて表示する、割り込み表示モードを有する。
【００５１】
本発明の好ましい実施の形態においては、前記入力工程において前記特定属性に帰属するデータのいずれかが未入力である場合に、前記表示工程において警告表示がなされる、前記測定処理の開始を阻止する、前記測定処理の測定結果の表示を阻止する、および前記測定処理の測定結果に警告フラグを付する、から選択された少なくとも一の処理を行う。
【００５２】
本発明の好ましい実施の形態においては、前記一括表示パターンにおいては、前記複数の特定属性のうちデータが未入力のものに対応する前記属性表示部と、前記測定処理に対応する測定属性表示部と、が前記属性表示部用領域に表示され、前記測定属性表示部は、前記測定処理の状態または測定結果に応じて視覚的に異なる複数の状態をとる。
【００５３】
本発明の好ましい実施の形態においては、前記複数の属性は、医療従事者を識別する測定者ＩＤ、患者を識別する患者ＩＤ、前記試験片を識別する試験片ＩＤ、前記測定処理のための精度管理に用いられる精度管理物質を識別する精度管理物質ＩＤ、個々の測定処理を識別する測定処理ＩＤ、および測定処理の結果に関するものから選択された少なくとも一の属性を含む。
【００５４】
本発明の好ましい実施の形態においては、前記測定処理ＩＤは、前記患者ＩＤをその一部に含んでおり、前記測定処理ＩＤに含まれる前記患者ＩＤと、入力された前記患者ＩＤとが異なる場合に、前記表示部に警告表示がなされる。
【００５５】
本発明の好ましい実施の形態においては、前記表示工程において前記複数の属性のうち前記属性表示部用領域に前記属性表示部が表示されるものの組み合わせが、予め設定可能である。
【発明の効果】
【００５６】
本発明の一態様によれば、前記複数の属性に帰属するデータを入力する際に、前記個別表示パターンを表示する前記表示部を視認しながら行うことができる。前記属性表示部用領域の前記複数の属性表示部によって、どのような種類のデータが入力項目として挙げられているかを一目で把握できる。また、前記入力教示領域が前記複数の属性表示部のいずれかに関連していることを認識できる。そして、前記入力教示領域によって、選択されている前記属性に帰属するデータの入力のガイダンスが提供される。これにより、測定者は、どのような種類のデータが挙げられているかを俯瞰的に把握しつつ、個々の前記属性に帰属するデータを、そのデータに適した入力操作によって入力することが可能である。したがって、前記測定装置によれば、より迅速かつ正確に測定を行うことができる。
【００５７】
本発明のその他の特徴および利点は、添付図面を参照して以下に行う詳細な説明によって、より明らかとなろう。
【図面の簡単な説明】
【００５８】
【図１】本発明に係る測定装置の一例を示す斜視図である。
【図２】本発明に係る測定装置の一例を示す斜視図である。
【図３】本発明に係る測定装置の一例を示すブロック構成図である。
【図４】本発明に係る測定装置の一例の動作を示すフローチャートである。
【図５】本発明に係る測定装置の一例の動作における表示部を示す説明図である。
【図６】本発明に係る測定装置の一例の動作における表示部を示す説明図である。
【図７】（ａ）〜（ｄ）は、本発明に係る測定装置の一例の動作における属性表示部を示す説明図である。
【図８】本発明に係る測定装置の一例の動作における表示部を示す説明図である。
【図９】本発明に係る測定装置の一例の動作における表示部を示す説明図である。
【図１０】本発明に係る測定装置の一例の動作における表示部を示す説明図である。
【図１１】本発明に係る測定装置の一例の動作における表示部を示す説明図である。
【図１２】本発明に係る測定装置の一例の動作における表示部を示す説明図である。
【図１３】本発明に係る測定装置の一例の動作における表示部を示す説明図である。
【図１４】本発明に係る測定装置の一例の動作における表示部を示す説明図である。
【図１５】本発明に係る測定装置の一例の動作を示すフローチャートである。
【図１６】本発明に係る測定装置の一例の動作における表示部を示す説明図である。
【図１７】本発明に係る測定装置の一例の動作における表示部を示す説明図である。
【図１８】本発明に係る測定装置の一例の動作における表示部を示す説明図である。
【図１９】本発明に係る測定装置の一例の動作における表示部を示す説明図である。
【図２０】（ａ）〜（ｃ）は、本発明に係る測定装置の一例の動作における属性表示部を示す説明図である。
【図２１】本発明に係る測定装置の一例の動作における表示部を示す説明図である。
【図２２】本発明に係る測定装置の一例の動作における表示部を示す説明図である。
【図２３】本発明に係る測定装置の一例の動作における表示部を示す説明図である。
【発明を実施するための形態】
【００５９】
以下、本発明の好ましい実施の形態につき、図面を参照して具体的に説明する。
【００６０】
図１〜図３は、本発明に係る測定装置の一例を示している。本実施形態の測定装置Ａは、測定部１、バーコード読み取り部２、表示部３、操作ボタン４、ＵＳＢポート５１、無線通信部５２、制御部６および記憶部７を備えている。測定装置Ａは、ＰＯＣＴに用いられるものである。本実施形態においては、測定装置Ａが試験片８が装填されることにより、血糖値を測定する構成であること例として以下に説明する。
【００６１】
測定装置Ａは、医療従事者などの測定者が手にとって測定作業を行える程度の大きさおよび形に形成されており、たとえば樹脂からなる筐体に測定部１、バーコード読み取り部２、表示部３、操作ボタン４、ＵＳＢポート５１、無線通信部５２、制御部６および記憶部７が適宜取り付けまたは内蔵された構成とされている。
【００６２】
測定部１は、生体由来の検体を対象とした測定処理を行う。本実施形態においては、測定部１は、患者から採取された血液を検体とした血糖値測定を行う。測定部１は、試験片挿入部１１を有している。試験片挿入部１１は、前記筐体の一部が開口されたものであり、試験片８が挿入される。前記開口の奥方には、たとえば試験片８の挿入を検出するセンサ（図示略）が設けられている。なお、試験片８は、たとえば電極８１および点着部８２を有している。電極８１は、測定装置Ａの接続端子（図示略）と接触することにより、測定部１と導通する部分である。点着部８２は、検体としての血液が点着される部分である。また、試験片８には、試薬（図示略）が設けられている。血糖値測定を行う場合、前記試薬は、たとえば酵素であるグルコースオキシターゼと電子受容体としてのフェリシアン化カリウムなどからなる。このような構成により、測定部１は、試験片８に点着された血液を検体として、公知の手法により血糖値測定処理を行う。
【００６３】
バーコード読み取り部２は、本発明で言う入力手段の一例に相当する。測定装置Ａは、前記測定処理に付随し、かつ複数の属性のいずれかに帰属するデータが入力される。前記複数の属性を例示すると、本実施形態においては、医療従事者を識別する測定者ＩＤ、患者を識別する患者ＩＤ、前記試験片を識別する試験片ＩＤ、前記測定処理のための精度管理に用いられる精度管理物質を識別する精度管理物質ＩＤ、および個々の測定処理を識別する測定処理ＩＤが挙げられる。そして、本実施形態においては、これらのデータの入力が、バーコード読み取り部２によってなされる。すなわち、入力されるべきデータがカード、リストバンド、梱包箱、紙などの媒体に印刷されたバーコードとして与えられ、バーコード読み取り部２がこれらのバーコードを読み取る。ここで言うバーコードとしては、縞模様状の複数の線によって構成される一次元バーコードや、縦横に配列された複数のドットによって構成される二次元コードが代表例として挙げられる。
【００６４】
バーコード読み取り部２は、たとえば、発光部、受光部およびドライバＩＣを備える。前記発光部は、読取りのための光を出射するものであり、たとえば赤色光を含む線状光を出射する。前記受光部は、バーコードが付された前記媒体によって反射された反射光を受光するものであり、複数の受光素子が列状またはマトリクス状に配置された構成とされている。前記ドライバＩＣは、前記受光部からの出力信号に基づいて、バーコードを認識するための画像データを形成する。あるいは、前記ドライバＩＣは、前記画像データを画像解析することにより、バーコードに変換されていたデータをデジタル数値データとして出力する構成であってもよい。また、この数値化機能は、制御部６が担ってもよい。
【００６５】
なお、本発明で言う入力手段は、バーコード読み取り部２に限定されず、たとえば携帯型電話機に備えられるテンキーと称される複数のキーを具備した構成であってもよい。また、バーコードを読み取り可能な構成と複数のキーやフリック可能なタッチパネルを具備した構成とを兼ね備えたものであってもよい。
【００６６】
表示部３は、使用者（測定者）に視覚的に情報を提供するものであり、たとえばマトリクス状に配置された複数の画素を有する液晶ディスプレイや有機ＥＬディスプレイなどが好適に用いられる。本実施形態においては、表示部３は、後述する個別表示パターンおよび一括表示パターンを表示する。なお、これらのモードは、制御部６が表示部３に対して表示指令を与え、これに基づいて表示部３が所定の図柄や文字を表示することによって達成されるものであり、表示部３のみが独自に達成するものに限定されない。
【００６７】
操作ボタン４は、使用者（測定者）が測定装置Ａの動作に対して意思決定を与えるための操作に供する部位である。本実施形態においては、操作ボタン４は、たとえば方向ボタン４１、方向ボタン４２および決定ボタン４３によって構成されている。方向ボタン４１および方向ボタン４２は、表示部３において左および右を示唆する操作を行うためのものである。決定ボタン４３は、表示部３の表示によって示唆された動作や処理を許可する操作を行うためのものである。また本構成はフリック可能なタッチパネルで代用されてもよい。
【００６８】
ＵＳＢポート５１および無線通信部５２は、測定装置Ａと他の機器とのインターフェースを担う部位である。他の機器としては、たとえば病院に設置されたより大型かつ多機能の統合測定ステーションやＰＣなどが挙げられる。ＵＳＢポート５１は、ＵＳＢ規格に準拠した有線データ通信を実現するためのポートである。無線通信部５２は、無線を用いたデータ通信を行うものである。無線の種類は特に限定されないが、本実施形態においては電磁波を利用した無線の近距離データ通信を行うＲＦＩＤが採用された場合を例に説明する。このような例の場合、無線通信部５２は、たとえばコイルアンテナやドライバＩＣなどを具備している。測定や測定の結果、ＩＤに関わる情報のやりとりを部分的にまたは一括して、またはリアルタイムに行うための構成となっていてもよい。
【００６９】
制御部６は、測定装置Ａの動作を制御するためのものであり、典型的にはＣＰＵからなる。制御部６は、記憶部７に記憶されたプログラムに基づいて測定部１、バーコード読み取り部２、表示部３、ＵＳＢポート５１および無線通信部５２の動作を制御する。また、制御部６は、操作ボタン４からの入力信号を受ける。なお、本実施形態においては、制御部６が測定装置Ａの主な動作を制御する前提で、以降の説明を行うが、本発明はこれに限定されない。本実施形態において制御部６が行う機能を、測定部１、バーコード読み取り部２、表示部３などの各部に備えられた別のＣＰＵなどが実行する構成であってもよい。
【００７０】
記憶部７は、プログラム領域７１およびデータ領域７２を有しており、たとえばシリコンメモリからなる揮発性メモリや不揮発性メモリが適宜採用される。プログラム領域７１は、測定装置Ａの動作を実現するプログラムを記憶する領域である。データ領域７２は、測定に付随するデータを記憶するものである。たとえば、後述する測定装置Ａの動作において表示部３に表示されるガイダンスを構成する画像なども、データ領域７２に記憶されてもよい。
【００７１】
次に、測定装置Ａの動作について、以下に説明する。
【００７２】
図４は、測定装置Ａの動作の一例を表すフローチャートである。このフローチャートが示す動作は、測定処理に付随するデータを入力する入力処理（ステップＳ１０〜ステップＳ２１）と測定処理（ステップＳ３０）を含んでおり、測定装置Ａの動作の代表例である。以下に説明する処理以外にも、測定装置Ａは、動作に関する諸条件項目を設定する設定処理や、測定処理によって得られた複数の測定データを閲覧する閲覧処理などを適宜実行可能に構成されている。
【００７３】
たとえば、前記設定処理によって必要とされる初期設定などを終えた測定装置Ａは、電源投入されると制御部６の指令により前記入力処理を実行する状態とされる（ステップＳ１０）。そして、制御部６の指令により、表示部３は、個別表示パターンを表示する（ステップＳ１１）。図５は、個別表示パターン３０Ａを表示する表示部３を示している。同図に示された個別表示パターン３０Ａは、属性表示部用領域３１、入力教示領域３２および入力データ表示領域３３を有している。
【００７４】
属性表示部用領域３１には、各々が前記複数の属性に対応した複数の属性表示部３１１，３１２，３１３が表示される。属性表示部３１１は、測定者ＩＤに対応している。属性表示部３１２は、患者ＩＤに対応している。属性表示部３１３は、試験片ＩＤに対応している。本実施形態においては、属性表示部３１１，３１２，３１３は、それぞれに対応する属性が直感的に理解されるように、図柄などを用いたいわゆるアイコンの形態とされている。本実施形態の属性表示部用領域３１は、表示部３において左右方向に延びた帯状領域とされており、個別表示パターン３０Ａの上下方向中央寄りに配置されている。なお、本発明における属性表示部は、複数の属性を個別に認識可能に表示するものであればよく、上述したアイコンの他に、たとえば入力教示領域から部分的に延出するいわゆるタグや、比較的単純な図形などからなるボタンなどであってもよい。
【００７５】
ここで、図示された属性表示部３１１，３１２，３１３に対応する属性である測定者ＩＤ、患者ＩＤおよび試験片ＩＤを、測定処理の実行を充足する複数の特定属性と位置づける。すなわち、複数の特定属性に帰属するデータがすべて入力され、記憶部７のデータ領域７２に記憶されると、通常の測定処理を行う条件が充足する。なお、属性表示部用領域３１に表示される属性表示部の組み合わせは、上述した設定処理によって予め設定する。
【００７６】
また、図４のステップＳ１２においては、複数の属性表示部３１１，３１２，３１３のうちいずれに対応する属性のデータを入力するかの属性選択が行われる。この属性選択を行うには、複数の手法が用意されている。まず、いずれの属性のデータを入力するかの入力順があらかじめ定められた手法の場合、たとえば属性表示部３１１、属性表示部３１２、属性表示部３１３の順で、それぞれに対応する属性に帰属するデータの入力が行われる。次にいずれの属性のデータを入力するかの入力順が定められない手法の場合、たとえば操作ボタン４によって属性表示部３１１、３１２、３１３のいずれかを表示部３上において順次選択することにより、データの入力が行われる。より具体的には、方向ボタン４１および方向ボタン４２によって属性表示部３１１、３１２、３１３のいずれかがハイライトされ、それに応じて、あるいは決定ボタン４３の押下によって、対応する属性に帰属するデータを入力する状態となる。
【００７７】
入力教示領域３２は、属性表示部用領域３１に表示された複数の属性表示部３１１，３１２，３１３のいずれかに対応する前記属性に帰属する前記データの入力操作を視覚的に教示する領域である。本実施形態においては、入力教示領域３２は、比較的大面積の矩形状領域とされており、表示部３の下端寄りに配置されている。入力データ表示領域３３は、入力された前記データが表示される領域である。本実施形態においては、入力データ表示領域３３は、横長の矩形状領域とされており、個別表示パターン３０Ａの上端寄りに配置されている。入力教示領域３２は、前記属性に帰属する前記データの入力操作を視覚的に教示できるものであればよく、例えば、属性表示部を選択することで、ポップアップ式に入力教示領域３２が出現し、当該属性に帰属する前記データの入力操作を視覚的に提示するものであってもよい。
【００７８】
また、属性表示部３１１，３１２，３１３は、対応する前記属性に帰属する前記データの入力状態に応じて、視覚的に異なる複数の状態をとる構成とされている。図７は、属性表示部３１１を例として視覚的に異なる複数の状態を説明する図である。同図（ａ）に示す属性表示部３１１は、対応する属性である測定者ＩＤが未入力状態であることを示している。また、この属性表示部３１１は、矩形状に閉じた形態のみによって表されている。これは、入力教示領域３２および入力データ表示領域３３のいずれもが測定者ＩＤに関する表示とはなっていないことを表している。同図（ｂ）に示す属性表示部３１１は、測定者ＩＤの入力を受け付ける状態であることを示している。また、この属性表示部３１１は、矩形状に閉じた形態と下向きの矢印とを含んでおり、周辺部分が下方領域に繋がる形態とされている。これは、この属性表示部３１１が属性表示部用領域３１の下方に位置する入力教示領域３２と関連しており、より具体的には、入力教示領域３２に属性表示部３１１に対応する測定者ＩＤの入力操作が視覚的に教示されていることを示している。同図（ｃ）に示す属性表示部３１１は、属性表示部３１１に対応する測定者ＩＤの入力が完了していることを示している。たとえば、カラー表示が可能な表示部３を備えた測定装置Ａの場合、同図（ａ）に示す属性表示部３１１と同図（ｃ）に示す属性表示部３１１とは、互いの色を異ならせることによって明瞭に区別することが可能である。本実施形態においては、グレースケールでの表現を考慮して、同図（ｃ）に示す属性表示部３１１は、完了を想起させる記号が付されている。同図（ｄ）に示す属性表示部３１１は、対応する測定者ＩＤの入力が完了している。また、この属性表示部３１１は、矩形状に閉じた形態に加えて、周辺部分が情報領域に繋がる形態とされている。これは、この属性表示部３１１が属性表示部用領域３１の上方に位置する入力データ表示領域３３と関連しており、より具体的には、測定ＩＤの入力結果が入力データ表示領域３３に表示されていることを示している。同図（ａ）〜（ｄ）に示す複数の状態は、属性表示部３１２、属性表示部３１３およびその他の同種類の属性表示部についても同様に採用される。
【００７９】
図５に示す表示部３においては、上述したステップＳ１２において、測定者ＩＤに対応する属性表示部３１１が選択された状態を示している。そして、制御部６は、図４のステップＳ１３を実行する。このステップにおいては、属性表示部３１１は、図７（ｂ）の状態をとっており、入力教示領域３２との関連が示唆されている。入力教示領域３２には、測定装置Ａを手にとって保持し、所定の操作を促す画像が表示されている。このガイダンスにしたがって測定者が当該操作を行うと、制御部６は、当該操作の完了を認識し、次の操作のガイダンスを表示部３の入力教示領域３２に表示させる。図６は、バーコード読み取り部２から出射された赤色光を、測定者ＩＤを含むバーコードが付されたカードに照射することを促している。このガイダンスにしたがって測定者が操作を行うと、制御部６は、バーコード読み取り部２に当該バーコードの読み取り処理を行わせる。これが、図４のステップＳ１４のデータ入力処理である。制御部６は、バーコード読み取り部２から送られたデジタル数値データを、測定者ＩＤとして記憶部７のデータ領域７２に格納する。また、制御部６は、図８に示すように、属性表示部３１１の状態を図７（ｄ）に示す状態に変更する。あわせて、制御部６は、入力された測定者ＩＤを入力データ表示領域３３に表示する。これにより一つの属性である測定者ＩＤについてのデータ入力処理（ステップＳ１４）が完了する。
【００８０】
次いで、制御部６は、図４のステップＳ１５を実行する。このステップにおいては、特定属性である測定者ＩＤ、患者ＩＤおよび試験片ＩＤのすべてが入力完了済みであるかを判断する。未入力の特定属性がある場合、制御部６は、他の属性についてステップＳ１２，Ｓ１３，Ｓ１４を実行する（ステップＳ１５：Ｎｏ）。ステップＳ１２における属性選択は、あらかじめ定められた順にしたがって、制御部６が自動的に選択してもよいし、操作ボタン４による操作などを用いて測定者の任意で選択してもよい。
【００８１】
図８は、このような属性選択（ステップＳ１２）によって、患者ＩＤが選択された状態の個別表示パターン３０Ａである。上述した通り、入力データ表示領域３３には測定者ＩＤの入力結果が表示されており、属性表示部３１１はこれに応じた状態とされている。そして、属性表示部３１２は、入力を受け付ける状態とされており、入力教示領域３２には、患者ＩＤを入力するためのガイダンスが表示されている。同図に示された例においては、バーコード読み取り部２から出射された赤色光を患者ＩＤを含むバーコードが付されたリストバンドに照射することを促している。このガイダンスにしたがって測定者が操作を行うと、制御部６は、バーコード読み取り部２に当該バーコードの読み取り処理を行わせ（ステップＳ１４）、測定者ＩＤを記憶部７のデータ領域７２に格納する。
【００８２】
図９は、入力データ表示領域３３に入力された患者ＩＤが表示され、属性表示部３１２がこれに対応した状態の個別表示パターン３０Ａが示されている。入力データ表示領域３３には、入力された患者ＩＤに対応する患者名が表示されている。たとえば記憶部７のデータ領域７２には、患者ＩＤに含まれる複数桁の英数字などからなる情報と、これに対応する患者名とが含まれたデータテーブルが、予め記憶されている。制御部６は、入力された患者ＩＤについて前記データテーブルを参照することにより、該当する患者名を表示部３に表示させる。なお、患者ＩＤが複数桁の英数字情報とともに患者名を含んでもよい。また、同図は、上述したステップＳ１５およびステップＳ１２が実行され、試験片ＩＤが選択された状態を示している。属性表示部３１３は、入力を受け付ける状態とされており、入力教示領域３２には、試験片ＩＤを入力するためのガイダンスが表示されている。同図に示された例においては、バーコード読み取り部２から出射された赤色光を試験片ＩＤを含むバーコードが付された梱包箱に照射することを促している。このガイダンスにしたがって測定者が操作を行うと、制御部６は、バーコード読み取り部２に当該バーコードの読み取り処理を行わせ（ステップＳ１４）、試験片ＩＤを記憶部７のデータ領域７２に格納する。また、前記梱包箱に付されたバーコードは、試験片ＩＤに加えて、梱包された試験片の使用期限や、測定結果の補正に供される補正コードなどを適宜含んでもよい。図１０は、入力された試験片ＩＤが入力データ表示領域３３に表示され、属性表示部３１３がこれに対応する状態をとっている。なお、図９に示す状態は、入力データ表示領域３３にすでに入力された患者ＩＤが表示され、入力教示領域３２には、患者ＩＤとは異なる別のＩＤである試験片ＩＤを入力するためのガイダンスが表示されている。このように、本実施形態の測定装置Ａにおいては、一つの画面で、ある属性に関する入力結果と、別の属性に関するガイダンスとを同時に表示でき、かつ、前述のとおり、前記属性に帰属する前記データの入力状態をも併せて当該画面にて表示することが可能である。このような表示態様の他の例としては、たとえば後述する図１２の表示態様が挙げられる。
【００８３】
図４に示すように、すべての特定属性が入力済みとなった場合（ステップＳ１５：Ｙｅｓ）、制御部６は、ステップＳ２０に進む。ステップＳ２０の実行は、制御部６が自動的に開始してもよいし、たとえば図１３に示す確認表示領域３８を表示部３に表示させ、ステップＳ２０に進むことを操作ボタン４の決定ボタン４３から測定者に許可させてもよい。
【００８４】
図１１は、制御部６が表示部３に一括表示パターン３０Ｂを表示した状態を示している。一括表示パターン３０Ｂは、一括表示領域３４および属性表示部用領域３５を有している。一括表示領域３４は、入力済みの複数の特定属性である測定者ＩＤ、患者ＩＤおよび試験片ＩＤが一括して表示される領域である。本実施形態においては、測定者ＩＤ、患者ＩＤおよび試験片ＩＤが上下方向に並べて配置されている（ステップＳ２１）。属性表示部用領域３５は、入力済みの複数の特定属性である測定者ＩＤ、患者ＩＤおよび試験片ＩＤに対応する属性表示部３１１，３１２，３１３が表示される領域である。測定者ＩＤ、患者ＩＤおよび試験片ＩＤが入力済であること、また、一括表示パターン３０Ｂは、個別の属性に関連する入力教示領域３２や入力データ表示領域３３が用意されないことから、これらの属性表示部３１１，３１２，３１３は、図７（ｃ）に示す状態をとっている。
【００８５】
複数の特定属性は、測定処理の内容や、測定装置Ａが使用される病院などの環境や運用によって様々に設定可能であり、その種類や個数は任意に決定される。図１２は、複数の特定属性として、測定者ＩＤ、オーダーＩＤおよび試験片ＩＤが設定された場合の個別表示パターン３０Ａの例である。この個別表示パターン３０Ａの属性表示部用領域３１には、属性表示部３１１，３１３，３１４が表示されている。属性表示部３１４は、オーダーＩＤに対応するものである。オーダーＩＤは、個々の測定処理を識別するためのＩＤである。オーダーＩＤは、日時や順序などを意味する数字を含んでもよいし、さらに、その測定処理によって測定される検体が由来する患者を示すＩＤを含んでもよい。
【００８６】
図４に示すように、ステップＳ２１を終了すると、制御部６は、測定処理（ステップＳ３０）を実行する。ステップＳ３０の実行は、制御部６が自動的に開始してもよいし、たとえば図１４に示す確認表示領域３８を表示部３に表示させ、ステップＳ３０に進むことを操作ボタン４の決定ボタン４３から測定者に許可させてもよい。
【００８７】
ステップＳ３０の測定処理においては、制御部６は表示部３に測定処理を実行するための作業手順を示す画像をガイダンスとして適宜表示させてもよい。測定処理を実行するための作業としては、たとえば、分析用具８の挿入作業、分析用具８の点着部８２への血液の点着作業が挙げられる。また、測定部１において血糖値を算出するための処理は所定の時間を要するため、制御部６は、たとえば待ち時間画像を表示部３に表示させてもよい。また、血糖値が得られた後は、制御部６は、測定結果を表示部３に表示させてもよい。また、得られた血糖値を数字で表すことに加えて、血糖値が比較的高い値であったこと、あるいは血糖値が比較的低い値であったこと、を測定者に報知する表示を行ってもよい。
【００８８】
以上のように、ある患者の検体について測定を行うと、測定装置Ａには、１つの測定結果としての血糖値が得られる。制御部６は、この血糖値を測定者ＩＤ、患者ＩＤ、試験片ＩＤ、さらにはオーダーＩＤなどとあわせて、記憶部７のデータ領域７２に格納する。複数の検体について、上記処理を繰り返すことにより、測定装置Ａの記憶部７のデータ領域７２には、複数の測定結果が格納される。ある程度の数の検体を測定した後は、測定者は、ＵＳＢポート５１または無線通信部５２を用いて、たとえば病院に設置されたより大型かつ多機能の統合測定ステーションやＰＣなどにこれらの測定結果を転送する。これらの統合測定ステーションやＰＣにおいては、多数の測定結果が運用ルールにしたがって管理され、また、各患者の健康維持に活用される。
【００８９】
なお、ある測定処理を終えて、次の測定処理を行う際には、複数の特定属性に帰属するデータをすべて維持してもよいし、いずれかを初期化してもよいし、すべてを初期化してもよい。また、初期化しなくてもよい。このような全てまたは一部の初期化は、決められた順序により自動的にまたは手動の操作に従って、行うことができる。たとえば、複数の患者の検体について一人の測定者が測定処理を行う場合、測定者ＩＤを維持する。一方、一連の測定を終了し、次の測定者が不明である場合、複数の特定属性に帰属するデータのすべてを初期化しておくことが好ましい。このような選択は、測定装置Ａの設定作業によって適宜選択できることが望ましい。
【００９０】
次に、測定装置Ａの作用について説明する。
【００９１】
本実施形態によれば、図５に例示するように、複数の属性に帰属するデータを入力する際に、個別表示パターン３０Ａを表示する表示部３を視認しながら行うことができる。属性表示部用領域３１の属性表示部３１１，３１２，３１３によって、どのような種類のデータが入力項目として挙げられているかを一目で把握できる。また、入力教示領域３２が属性表示部３１１，３１２，３１３のいずれかに関連していることを認識できる。そして、入力教示領域３２によって、選択されている属性に帰属するデータの入力のガイダンスが提供される。これにより、測定者は、どのような種類の入力データが挙げられているかを俯瞰的に把握しつつ、個々の属性に帰属するデータを、そのデータに適した入力操作によって入力することが可能である。したがって、測定装置Ａによれば、より迅速かつ正確に測定を行うことができる。
【００９２】
図７に示すように、属性表示部３１１，３１２，３１３は、対応する属性に帰属するデータの入力状態に応じて、視覚的に異なる複数の状態をとる。このため、選択された属性のデータが、未入力であるか、入力待ちか、入力済みか、といった状態をひと目で把握することができる。また、属性表示部３１１，３１２，３１３が、属性表示部用領域３１に隣接する入力教示領域３２および入力データ表示領域３３との関連がある状態であることを視覚的に示される。これにより、測定装置Ａの操作に習熟していない測定者であっても、ある属性に帰属するデータについて、入力教示領域３２にガイダンスが表示されていることや、入力データ表示領域３３に入力結果が表示されていることを、直感的に理解することができる。また、属性表示部用領域３１に表示される属性表示部３１１，３１２，３１３の組み合わせは、予め設定可能である。これにより、使用者が測定装置Ａの操作に習熟していなくても、入力されるべきデータを適切に選定しておくことが可能である。また、どのような組み合わせであるかを使用者に俯瞰させることにより、データ入力をスムーズにかつ漏れ無く実行することができるという利点がある。
【００９３】
図７および図８に示すように、属性表示部３１１に対応する測定者ＩＤの入力が完了すると、入力データ表示領域３３に測定者ＩＤの入力結果が表示される。また、次の選択属性である患者ＩＤに対応する属性表示部３１２の状態が変化し、入力教示領域３２には患者ＩＤの入力に関するガイダンスが表示される。これにより、複数の属性に帰属するデータの入力作業を、スムーズに継続することができる。また、入力したデータが万が一誤っていた場合などに、測定者に即座に気づかせることができる。
【００９４】
属性表示部３１１，３１２，３１３の選択が任意の順序で行えることにより、測定者にとって都合の良い順序で入力作業を行うことができる。属性表示部用領域３１に属性表示部３１１，３１２，３１３が表示されていることにより、任意の属性表示部の選択を容易に行うことが可能であり、また、いずれの属性表示部を選択したかを即座に認識することができる。
【００９５】
一方、あらかじめ定められた順序にしたがって属性表示部３１１，３１２，３１３が選択される構成によれば、ある属性に帰属するデータの入力作業が意図せず欠落してしまうことを防止することができる。したがって、たとえば多数の検体の測定を行う際にすべてのデータを漏れ無く適切に入力することができる。
【００９６】
ある属性の入力作業から他の属性の入力作業への移行を自動的に行う構成においては、一連の入力作業をスムーズに行うことができる。一方、ある属性の入力作業から他の属性の入力作業への移行において、操作ボタン４を用いた測定者の許可を要求する構成においては、意図せずに他の属性に移行することを回避可能である。
【００９７】
図１１に示すように、属性表示部３１１，３１２，３１３の入力が完了すると、表示部３が一括表示パターン３０Ｂを表示する。これにより、測定者は、一括表示領域３４からそれぞれの入力データを確認できる。また、測定者は、属性表示部用領域３５からすべての特定属性に帰属するデータが入力完了したことを直感的に把握することができる。
【００９８】
個別表示パターン３０Ａの表示から一括表示パターン３０Ｂの表示への移行は、自動的に行なってもよいし、操作ボタン４を用いた測定者の許可を要求する構成であってもよい。例えば、属性表示部３１１，３１２，３１３のいずれかの入力が未完了でも、例えば、操作ボタン４を用いて、一括表示パターン３０Ｂの表示へ移行することができる。
【００９９】
ある測定処理を終えて、次の測定処理を行う際に、複数の特定属性に帰属するデータをすべて維持することが許容される場合にこれらを維持すれば、データ入力作業に要する時間を短縮することができる。一方、複数の特定属性に帰属するデータのいずれかを初期化する、あるいはすべてを初期化することにより、誤ったデータを用いてしまうことを防止することができる。
【０１００】
図１５は、測定装置Ａの動作の他の例を示すフローチャートである。本例においても、個別表示パターン３０Ａを用いたデータ入力処理（ステップＳ１１〜ステップＳ１５）を同様に実行可能である。本例においては、測定処理（ステップＳ３０）に移行する処理が上述した例と異なっている。また、測定処理（ステップＳ３０）開始以降においてデータ入力やデータ表示の処理が実行可能であることが上述した例と異なっている。
【０１０１】
本例においては、ステップＳ１１〜ステップＳ１５の実行において、試験片８の挿入を検出するステップＳ４０が、常時、あるいは所定の時間間隔をおいて割り込み処理される。ステップＳ１１〜ステップＳ１５の実行中、すなわち複数の特定属性のいずれかが未入力の状態であっても、試験片８が試験片挿入部１１に挿入されると（ステップＳ４０：Ｙｅｓ）、制御部６は測定処理（ステップＳ３０）に移行する。試験片８の挿入が検出されない場合は（ステップＳ４０：Ｎｏ）、ステップＳ１１〜ステップＳ１５を実行する。
【０１０２】
試験片８が試験片挿入部１１に挿入され（ステップＳ４０：Ｙｅｓ）、測定処理（ステップＳ３０）に移行する際には、制御部６の指令によって自動的に移行してもよいし、測定者の許可を要求してもよい。図１６は、測定者の許可を要求する場合の表示部３の一例を示している。この状態においては、複数の特定属性のいずれかが未入力の状態で試験片８が挿入されている。この場合、表示部３には、データ入力が完了していないこと、その状態で測定処理を開始すること、を測定者に確認する確認表示領域３８が表示される。また、ステップ４０：Ｙｅｓの割り込みは、複数の特定属性のすべてが入力完了した時点で、試験片挿入部１１に試験片８が挿入されることによって実行されてもよい。
【０１０３】
複数の特定属性のいずれかが未入力である状態で開始された測定処理を、緊急血糖測定と定義する。この緊急血糖測定においても、測定処理を行うためのガイダンス、待ち時間表示および結果表示を表示部３に適宜表示させてもよい。
【０１０４】
本例においては、図１５に示すように、測定処理（ステップＳ３０）を開始した以降に、データ入力処理（ステップＳ５０およびステップＳ５１）が割り込み実施可能な構成とされている。ステップＳ５０においてデータ入力（ステップＳ５１）を行うと判断するには（ステップＳ５０：Ｙｅｓ）、たとえば測定処理（ステップＳ３０）を開始した以降に操作ボタン４を用いて所定の操作が行われたかを、制御部６が検出する手法であってもよい。あるいは、図１７に示すように、測定処理（ステップＳ３０）のため測定結果表示領域３７が表示された表示部３の表示（同図左方：測定結果を表示する例）に、上述した個別表示パターン３０Ａ（同図右方）を時間的に割り込ませて表示する、割り込み表示モードを採用してもよい。測定者は、緊急血糖測定のための作業を行いつつ、個別表示パターン３０Ａが表示されたタイミングで所定の操作を行うことにより、未入力のデータを入力する。
【０１０５】
また、この割り込み表示モードとしては、図１８に示すように、測定処理（ステップＳ３０）のための表示部３の表示に、未入力のデータを入力するための表示を空間的に割り込ませる構成であってもよい。同図に示す例においては、表示部３の下端寄りに測定結果表示領域３７が表示され、表示部３の上端寄りに属性表示部用領域３１および入力データ表示領域３３が表示されている。属性表示部用領域３１においては、属性表示部３１１および属性表示部３１３が入力済の状態である一方、属性表示部３１２が未入力である状態である。また、入力データ表示領域３３には、属性表示部３１２に対応する「患者」の語が表示され、その内容である患者ＩＤが空白で表示されており、未入力であることが示唆されている。同図に示す状態において、測定者が所定の操作を行うことにより、未入力のデータを入力する。
【０１０６】
図１５に示す測定処理（ステップＳ３０）において、データ入力（ステップＳ５１）が実行され、複数の特定属性のすべてが入力されると、上述した通常の測定処理と同様の状態となる。この場合、たとえば結果表示が実行されてもよい。一方、複数の特定属性のいずれかが未入力のまま図１５の測定処理（ステップＳ３０）を終えた場合、制御部６は、一括表示パターン表示（ステップＳ２０）においてデータ一括表示（ステップＳ２１）を行ってもよい。図１９は、データ一括表示（ステップＳ２１）における表示部３を示している。この場合、表示部３は、一括表示領域３４および属性表示部用領域３５を有する状態となっている。一括表示領域３４には、複数の特定属性に帰属するデータが表示されている。同図に示す例においては、測定者ＩＤおよび試験片ＩＤが入力済であり、患者ＩＤが未入力である。このため、一括表示領域３４には、測定者ＩＤおよび試験片ＩＤのデータが表示され、患者ＩＤは空欄である。あるいは、ＩＤごとに設定変更可能な固定の情報が表示されてもよい。
【０１０７】
また、属性表示部用領域３５には、属性表示部３１１，３１２，３１３と測定属性表示部３１５とが表示されている。属性表示部３１１および属性表示部３１３は、入力済に対応した外観となっている。属性表示部３１２は、未入力に対応した外観となっている。測定属性表示部３１５は、測定処理によって得られた測定結果に対応するものである。測定属性表示部３１５は、測定処理の状態または測定結果に応じて視覚的に異なる複数の状態をとる。図２０は、測定属性表示部３１５の外観の例を示している。同図（ａ）は、測定結果が比較的高い値であった場合の測定属性表示部３１５を示している。同図（ｂ）は、測定結果が比較的低い値であった場合の測定属性表示部３１５を示している。同図（ｃ）は、測定結果が正常であった場合、あるいは単に測定処理が完了していることを示す場合、の測定属性表示部３１５を示している。このように、測定属性表示部３１５は、測定処理の状態または測定結果を定量的または定性的に表現することができる。
【０１０８】
このように、図１９に示す表示部３は、患者ＩＤが未入力であり、かつ測定結果が比較的高い値であったことを測定者に認識させる。ここで、図１５に示すように、ステップＳ２０およびステップＳ２１においても、制御部６は、ステップＳ５０およびステップＳ５１を割り込み実行可能である。図１９に示す状態から、データ入力（ステップＳ５１）には、図１７に示した時間的な割り込み、あるいは操作ボタン４によって所定の操作を行うこと、によって移行すればよい。
【０１０９】
このような実施形態によれば、図１５に示すように、個別表示パターン３０Ａにしたがったデータ入力中であっても、試験片挿入部１１に試験片８を挿入することにより、測定者の意思によってデータ入力作業を中断し、測定処理に移行することができる。たとえばＰＯＣＴの現場となる診療所や病院においては、あらかじめ用意された多数の検体の測定を行っている際に、他の検体を緊急で測定すべき事態が生じうる。このような場合に、上述した緊急血糖測定として適切に測定を実施することができる。また、複数の特定属性のすべてが入力完了した時点で、測定者が試験片挿入部１１に試験片８を挿入すると、測定処理に移行する。入力完了後に試験片８を挿入する作業は測定者にとって自然な順序であるため、よりスムーズに測定処理を開始することができる。なお、図１５において、測定処理（ステップＳ３０）、一括表示パターン表示（ステップＳ２０）、データ一括表示（ステップＳ２１）に引き続いて、測定データを記憶部７のデータ領域７２に記憶する処理や、各種データの更新処理が存在する。これらの処理を実行する際においても、データ入力（ステップＳ５０）の割り込みが可能である。このように、データ入力（ステップＳ５０）の割り込みは、測定データ表示の前後や、測定データ更新の前後においても可能である。
【０１１０】
また、図１６に示す確認表示を表示部３に表示することにより、複数の特定属性のいずれかが未入力であっても測定処理を開始すべきかを、測定者に確認させることができる。
【０１１１】
図１７および図１８に示すように、入力に関する画面を時間的または空間的に割りこませる割り込み表示モードが実装されている。これにより、緊急血糖測定の測定開始以降に、未入力であるデータ（図示された例においては属性表示部３１２に対応する患者ＩＤ）の入力を測定者に促すことができる。
【０１１２】
図１９に示すように、緊急血糖測定を終えた後の一括表示パターン３０Ｂは、属性表示部用領域３５に属性表示部３１２が未入力の状態で表示されている。また、一括表示領域３４では、患者ＩＤが空欄となっている。これにより、測定者にいずれの属性が未入力の状態で測定を行ったかを確実に認識させることができる。また、属性表示部用領域３５の測定属性表示部３１５は、図２０に示すように測定結果に対応した複数の状態をとる。これにより、測定者は、図１９の表示部３の一括表示領域３４に表示されたデータのリストを確認しつつ、測定結果がどのような値であったかを定性的に把握することができる。
【０１１３】
以上に述べた通り、測定装置Ａは、複数の特定属性が揃った状態での通常血糖測定と、複数の特定属性のいずれかが未入力である状態での緊急血糖測定とを行うことが可能である。さらに、通常血糖測定が行われるべき局面において、測定者の意思に反して緊急血糖測定が行われてしまうことを回避するために、測定装置Ａは、以下に述べる方策を取りうる。
【０１１４】
たとえば、試験片ＩＤが未入力の状態で測定処理を行おうとした場合に、制御部６は、表示部３に図２１に示す警告表示領域３９を表示させる。これにより、測定者に未入力の特定属性のデータがあることを認識させ、その入力を促す。あるいは、複数の特定属性のいずれかが未入力の状態で測定処理が行われた場合、制御部６は、この測定処理の測定データの表示を阻止してもよい。または、制御部６は、この測定結果にいずれかのデータが未入力であることを示唆するフラグを付して結果表示してもよい。
【０１１５】
また、複数の特定属性として、いずれの属性を採用するかは任意である。たとえば、複数の特定属性が、患者ＩＤとオーダーＩＤとを含んでもよい。さらに、この場合のオーダーＩＤが、患者ＩＤを含む構成であってもよい。このような構成によれば、測定すべき患者をオーダーＩＤに含まれる患者ＩＤで指定するとともに、実際の測定における患者が正しい患者であるかをチェックすることができる。たとえば、オーダーＩＤに含まれた患者ＩＤと、バーコード読み取り部２によってリストバンドから読み取られた患者ＩＤとが異なる場合、誤った患者の測定を行おうとしているおそれがある。制御部６は、このような場合に、図２２に示すように、オーダーＩＤに含まれた患者ＩＤと読み取られた患者ＩＤとが一致しないことを表示部３の警告表示領域３９に警告として表示してもよい。
【０１１６】
測定装置Ａが、患者から採取された血液を検体とした測定をより正確に行うための精度管理測定を行う機能を有する場合、上述した患者ＩＤに代えて精度管理物質ＩＤを採用した測定処理を行ってもよい。図２３は、精度管理測定を行う場合の個別表示パターン３０Ａが表示された表示部３を示している。精度管理測定を行うモードに測定装置Ａが設定されると、属性表示部用領域３１には、精度管理測定用に予め定められた組み合わせの属性表示部が表示される。本例においては、属性表示部用領域３１には、測定者ＩＤに対応する属性表示部３１１、試験片ＩＤに対応する属性表示部３１３に加えて、精度管理物質ＩＤに対応する属性表示部３１６が表示されている。精度管理物質ＩＤは、たとえばコントロール液と称される、精度管理に用いられる精度管理物質を識別するものであり、たとえば当該コントロール液を用いた測定によって得られるべき測定結果としての血糖値の数値情報を含む。使用者は、属性表示部用領域３１を視認することにより、精度管理測定を行うモードに測定装置Ａが設定されており、どのようなデータを入力すべきかを把握することができる。
【０１１７】
本発明に係る測定装置および測定方法は、上述した実施形態に限定されるものではない。本発明に係る測定装置および測定方法の具体的な構成は、種々に設計変更自在である。
【符号の説明】
【０１１８】
Ａ      測定装置
１      測定部
１１      試験片挿入部
２      バーコード読み取り部
３      表示部
３０Ａ  個別表示パターン
３０Ｂ  一括表示パターン
３１      属性表示部用領域
３１１〜３１４，３１６      属性表示部
３１５      測定属性表示部
３２      入力教示領域
３３      入力データ表示領域
３４      一括表示領域
３５      属性表示部用領域
３６      測定教示領域
３７      測定結果表示領域
３８      確認表示領域
３９      警告表示領域
４      操作ボタン
４１，４２      方向ボタン
４３      決定ボタン
５１      ＵＳＢポート
５２      無線通信部
６      制御部
７      記憶部
７１      プログラム領域
７２      データ領域
８      試験片
８１      電極
８２      点着部
【図１】
2015180862.tif 000003
【図２】
2015180862.tif 000004
【図３】
2015180862.tif 000005
【図４】
2015180862.tif 000006
【図５】
2015180862.tif 000007
【図６】
2015180862.tif 000008
【図７】
2015180862.tif 000009
【図８】
2015180862.tif 000010
【図９】
2015180862.tif 000011
【図１０】
2015180862.tif 000012
【図１１】
2015180862.tif 000013
【図１２】
2015180862.tif 000014
【図１３】
2015180862.tif 000015
【図１４】
2015180862.tif 000016
【図１５】
2015180862.tif 000017
【図１６】
2015180862.tif 000018
【図１７】
2015180862.tif 000019
【図１８】
2015180862.tif 000020
【図１９】
2015180862.tif 000021
【図２０】
2015180862.tif 000022
【図２１】
2015180862.tif 000023
【図２２】
2015180862.tif 000024
【図２３】
2015180862.tif 000025